(57)【要約】【課題】軽量で躯体への負担を軽減すると共に雨仕舞いが良好かつ施工性に優れ、更に種々の形状の金属屋根材に適用することが可能な金属屋根の採光屋根材を提供する。【解決手段】母屋２の上面に固定されたタイトフレーム３に金属屋根材１を載置し端部を重ねて接続すると共に、タイトフレームに固定された吊子４，５に金属屋根材の接続部を固定しながら順次幅方向に葺設し、所定箇所において金属屋根材に置き換えて採光屋根材６を葺設する金属屋根の採光屋根材であって、採光屋根材６は金属屋根材に応じた大きさに形成され隣り合う金属屋根材に固定される枠体７と、枠体の上面に敷設された透光性及び可撓性を有する防水膜材８と、防水膜材の周縁部を枠体の上面に圧接させる防水ゴム部材１１と、防水ゴム部材と防水膜材を枠体の上面に固定する固定部材１４，１５とからなる。【選択図】図１
2012001957.tif 000002
【特許請求の範囲】
【請求項１】
母屋の上面に固定されたタイトフレームに金属屋根材を載置し端部を重ねて接続すると共に、前記タイトフレームに固定された吊子に前記金属屋根材の接続部を固定しながら順次幅方向に葺設し、所定箇所において前記金属屋根材に置き換えて採光屋根材を葺設する金属屋根の採光屋根材であって、
前記採光屋根材は、
前記金属屋根材に応じた大きさに形成され隣り合う金属屋根材に固定される枠体と、
前記枠体の上面に敷設された透光性及び可撓性を有する防水膜材と、
前記防水膜材の周縁部を前記枠体の上面に圧接させる防水ゴム部材と、
前記防水ゴム部材と前記防水膜材を前記枠体の上面に固定する固定部材とからなることを特徴とする金属屋根の採光屋根材。
【請求項２】
前記防水膜材は、周縁部が折り曲げられて前記枠体の外側面に固定されることを特徴とする、請求項１に記載の金属屋根の採光屋根材。
【請求項３】
前記採光屋根材は、前記防水膜材の室内側に間隔を存して防湿膜材が敷設され前記防水膜材との間に空気層が形成されていることを特徴とする、請求項１又は請求項２に記載の金属屋根の採光屋根材。
【請求項４】
前記防湿膜材は、前記枠体のサイドフレームとセンタフレームの上に敷設され、前記防水膜材は、前記サイドフレームとセンタフレームの上面に配設された防水ゴム部材の上に敷設され、前記防水膜材と前記防湿膜材の間に前記防水ゴム部材の厚みに相当する空気層が形成されることを特徴とする、請求項３に記載の金属屋根の採光屋根材。
【発明の詳細な説明】
【技術分野】
【０００１】
本発明は、金属屋根の採光屋根材に関する。
【背景技術】
【０００２】
近年、郊外の広い店舗や倉庫などの屋根材として、縦葺の金属屋根材が使用されてきている。金属屋根材は、一般に谷部とこの両側縁に斜めに立ち上がる傾斜部とこれらの傾斜部の先端に山部とを有する断面が略台形状に折り曲げ加工された金属折板を幅方向（左右方向）に平行に配置し、両側の山部を順次重ねて継ぐ構造とされている。
【０００３】
このような金属屋根において自然光を採り入れるために種々の採光屋根材（トップライト）が提案されている。例えば、金属折板屋根材と略同形状に折り曲げ加工された透光性合成樹脂板を折板屋根の所定箇所において金属折板屋根材に置き換えた構造の採光屋根材が提案されている（例えば、特許文献１参照）。
【０００４】
また、建築物の屋外に面して配置されて、その外表面が略水平な略平滑面を構成する屋外フラット部に形成されるとともに、屋内空間に連通する開口部と、この開口部を遮蔽するとともに強化板ガラスと網入板ガラス又は耐熱強化ガラスとを積層した合わせ板ガラスからなる曲げ剛性を有する透光部と、開口部を含む周囲領域の外表面を覆う防水シートとを具え、屋外フラット部の外表面と、透光部の外表面とが略面一になるように構成したトップライトが提案されている（例えば、特許文献２参照）。
【先行技術文献】
【特許文献】
【０００５】
【特許文献１】特開平４−１８９９６０号公報（図３、４頁）
【特許文献２】特開２００８−３０３６１５号公報（図１、４頁）
【発明の概要】
【発明が解決しようとする課題】
【０００６】
しかしながら、採光屋根材として金属折板屋根材と略同形状に折り曲げ加工された透光性合成樹脂板を使用する構造においては、屋根材と同じ形状（定形的）であるために他の形状の屋根材には使用することができず汎用性がない。また、長尺のものを製造することが困難であり、長尺にするためにはジョイントで継ぐ必要がある。このため継ぎ目が雨水の漏水の原因となる。また、屋根材との雨仕舞いが困難である。更に室内側の結露を防ぐべく透光性合成樹脂板を二重構造にするとコストが高くなる。
【０００７】
また、透光部材として強化板ガラスと網入板ガラス又は耐熱強化ガラスとを積層した合わせ板ガラスを使用する構造においては、重量が重いので躯体への負担が大きく、コストも高い。また、ガラスの寸法が決まっているために部分的に使用する場合が多く、長尺にするためにはガラスをジョイントで継ぐ必要があり、この継ぎ目が雨水の漏水の原因となる。
【０００８】
更にガラスは、平面かつ直線的であり縁部を曲げることができないために水切りの取り合いが困難である（水切りが悪い）。従って、金属屋根材の間に嵌め込む場合、水密構造にするための構造が複雑となり、施工が面倒である。また、室内側に結露を受けるための受け部材を設ける必要がある。結露を防ぐべくガラスを二重構造にすると重量が嵩み躯体への負担が更に大きくなると共にコストも高くなる。
【０００９】
本発明の目的は、軽量で躯体への負担を軽減すると共に雨仕舞いが良好かつ施工性に優れ、更に種々の形状の金属屋根材に適用することが可能な金属屋根の採光屋根材を提供することにある。
【課題を解決するための手段】
【００１０】
上述した課題を解決するために、本発明に係る金属屋根の採光屋根材は、
母屋の上面に固定されたタイトフレームに金属屋根材を載置し端部を重ねて接続すると共に、前記タイトフレームに固定された吊子に前記金属屋根材の接続部を固定しながら順次幅方向に葺設し、所定箇所において前記金属屋根材に置き換えて採光屋根材を葺設する金属屋根の採光屋根材であって、
前記採光屋根材は、
前記金属屋根材に応じた大きさに形成され隣り合う金属屋根材に固定される枠体と、
前記枠体の上面に敷設された透光性及び可撓性を有する防水膜材と、
前記防水膜材の周縁部を前記枠体の上面に圧接させる防水ゴム部材と、
前記防水ゴム部材と前記防水膜材を前記枠体の上面に固定する固定部材とからなることを特徴としている。
【００１１】
本発明がこのような構成を有することで、金属屋根材に応じた大きさの枠体の上面に透光性及び可撓性を有する防水膜材を敷設し、この防水膜材の周縁部を枠体の上面に防水ゴム部材を配設して固定部材により防水ゴム部材と共に枠体の上面に圧接固定することができる。このようにして枠体に防水膜材を敷設して採光屋根材を形成する。この採光屋根材を隣り合う金属屋根材に固定することができる。また、枠体に透光性及び可撓性を有する防水膜材を敷設して採光屋根材を形成することにより、軽量化を図ることが可能となり、躯体への負担を軽減することが可能となる。また、雨仕舞い（防水性）や施工性に優れている。
【００１２】
また、本発明の請求項２に係る金属屋根の採光屋根材は、請求項１に記載の金属屋根の採光屋根材において、
前記防水膜材は、周縁部が折り曲げられて前記枠体の外側面に固定されることを特徴としている。
【００１３】
本発明の請求項２によると、防水膜材は、可撓性を有することにより周縁部を折り曲げて枠体の外側面に固定することができ、枠体を一体的に覆うように敷設することができる。これにより、金属屋根材との接合が容易となり、雨仕舞いが良好である。
【００１４】
また、本発明の請求項３に係る金属屋根の採光屋根材は、請求項１又は請求項２に記載の金属屋根の採光屋根材において、
前記採光屋根材は、前記防水膜材の室内側に間隔を存して防湿膜材が敷設され前記防水膜材との間に空気層が形成されていることを特徴としている。
【００１５】
本発明の請求項３によると、防水膜材の室内側に間隔を存して防湿膜材を敷設して二重構造とし、防水膜材との間に空気層を形成するようになっている。これにより、防水膜材に発生した結露水を外部に排出することが可能となると共に断熱効果を得ることができる。
【００１６】
また、本発明の請求項４に係る金属屋根の採光屋根材は、請求項３に記載の金属屋根の採光屋根材において、
前記防湿膜材は、前記枠体のサイドフレームとセンタフレームの上に敷設され、前記防水膜材は、前記サイドフレームとセンタフレームの上面に配設された防水ゴム部材の上に敷設され、前記防水膜材と前記防湿膜材の間に前記防水ゴム部材の厚みに相当する空気層が形成されることを特徴としている。
【００１７】
本発明の請求項４によると、防湿膜材を枠体のサイドフレームとセンタフレームの上に敷設し、サイドフレームとセンタフレームの上面に配設された防水ゴム部材の上に防水膜材を敷設して二重構造とし、これらの防水膜材と防湿膜材との間に防水ゴム部材の厚みに相当する空気層を形成することが可能となる。
【発明の効果】
【００１８】
本発明によれば、採光部材として透光性及び可撓性を有する防水膜材を使用していることにより、軽量で躯体への負担を軽減することが可能となると共に、防水膜材の縁部を折り曲げることが可能であり、金属屋根材との接合が容易であり、雨仕舞い（防水性）が良好でかつ施工性に優れている。また、種々の形状の金属屋根材に適用することが可能であり、汎用性に優れている。更に長尺シームレスの採光屋根材の製造が可能である。
【００１９】
また、防水膜材と防湿膜材との二重構造とすることにより、これらの膜材の間に空気層を設けることが可能となり、結露水を外部に排出することが可能となると共に、断熱効果が得られる。
【図面の簡単な説明】
【００２０】
【図１】本発明の一実施形態に係る採光屋根材を適用した金属屋根の要部断面図である。
【図２】図１に示した採光屋根材の枠体の上面図である。
【図３】図２に示した枠体の矢線III―IIIに沿う断面図である。
【図４】図１に示した採光屋根材の左側の拡大図である。
【図５】図１に示した採光屋根材の右側の拡大図である。
【図６】図１に示した採光屋根材の水上側に位置する採光屋根材との接続部の断面図である。
【図７】本発明に係る採光屋根材の他の実施例を示す左側の拡大断面図である。
【図８】図７に示した採光屋根材の右側の拡大断面図である。
【発明を実施するための形態】
【００２１】
以下、本発明の一実施形態に係る採光屋根材について図面に基づいて説明する。図１は、本発明の一実施形態に係る金属屋根の採光屋根材を適用した金属屋根の要部断面図である。また、図２は、図１に示す採光屋根材を構成する枠体の上面図である。また、図３は、図２に示す枠体の矢線III―IIIに沿う断面図である。
【００２２】
図１に示すように金属屋根材（折板屋根材）１は、例えば１２ｍの長さを有した縦葺の長尺屋根材で、両側に長手方向に沿って全長に亘り半山部１ａ，１ｂが形成され、谷部の略中央に図示しない山部が形成されている。この金属屋根材１は、耐食性に優れた、例えばガルバリウム鋼板によりプレス成形され、全面に防錆塗装が施されており、表面に所定のカラー塗装が施されている。
【００２３】
金属屋根材１は、母屋２の上面に固定されたタイトフレーム３に載置されて図中左側から右側へと配置され、両側の半山部１ａ，１ｂを重ねてタイトフレーム３に締結部材５０で固定された吊子４，５に固定しながら順次葺設されるようになっている。採光屋根材６は、幅方向（左右方向）に葺設された金属屋根の所定箇所において金属屋根材１に置き換えて葺設されている。
【００２４】
採光屋根材６は、枠体７と、この枠体７に敷設（張設）された透光性及び可撓性を有する防水膜材（シート）８と、透光性及び可撓性を有する防湿膜材（シート）９、これらの防水膜材８と、防湿膜材９を枠体７に固定するための防水ゴム部材（パッキン）１１，１２と、固定部材としての押え金具１４とビス１５等により構成されている。この採光屋根材６は、枠体７が取付金具１６、１７により吊子４，５に固定されて隣り合う左右の金属屋根材１，１に取り付けられている。
【００２５】
枠体７は、金属部材で形成されており、図２に示すように金属屋根材１の幅と略同じ幅をなし、長さが金属屋根材１よりも短い定尺（例えば、３ｍ）に形成された長方形状をなしている。枠体７は、両側部のサイドフレーム２１，２２、両端部のエンドフレーム２３，２４、中央部のセンタフレーム２５，センタフレーム２６により形成されており、サイドフレーム２１，２２は、図１に示すようにチャンネルバー（溝形鋼材）とされ、エンドフレーム２３，２４及びセンタフレーム２５は、アングルバー（山形鋼材）とされている。
【００２６】
サイドフレーム２１，２２は、下方に開口するように配置され、エンドフレーム２３，２４、センタフレーム２５は、水平部が両側部のサイドフレーム２１，２２の上面に載置されてビスで固定され、下端部（水下側）及び中央部のエンドフレーム２３、センタフレーム２５は、垂直部が下方に向けて配置されかつその両端面がサイドフレーム２１，２２の内側面に当接して係止されている。
【００２７】
上端部（水上側）のエンドフレーム２４は、採光屋根材６の仕様により垂直部の向きが異なり、採光屋根材６を前記定尺で使用する場合にはエンドフレーム２３，センタフレーム２５と同様に垂直部を下方に向けて配置され、長手方向に複数接続して長尺の金属屋根材１と同じ長さにする場合には、垂直部を上方に向けて配置される。尚、本実施形態においては、採光屋根材６は、後述する図６に示すように長手方向に複数接続して長尺の金属屋根材１と同じ長さにする構造とし、エンドフレーム２４は、垂直部を上方に向けて配置されている。
【００２８】
エンドフレーム２３，２４、センタフレーム２５は、図３に示すように中央部が上方に僅かに凸状に湾曲する円弧状をなしている。センタフレーム２６は、枠体７の長手方向に沿ってサイドフレーム２１，２２と平行に配置され、エンドフレーム２３，２４、センタフレーム２５の中央部に載置されて後述するようにビス５１で固定される。このセンタフレーム２６は、上方に凸状に湾曲した円弧状をなして強度が確保されている。枠体７は、中央部が両側部よりも円弧状をなして僅かに高くなっており、雨水を両側に流すようになっている。
【００２９】
図４は、図１に示した採光屋根材６の左側の構造及び金属屋根材１への取付構造の拡大図である。また、図５は、図１に示した採光屋根材６の右側の構造及び金属屋根材１への取付構造の拡大図である。
【００３０】
最初に、採光屋根材６について説明する。図１に示すように室内側の防湿膜材９は、枠体７と略同じ大きさとされ、枠体７に敷設されて（被せられて）中央部がセンタフレーム２５，２６上に、周縁部がサイドフレーム２１，２２及びエンドフレーム２３，２４上に載置されている。そして、センタフレーム２６上に長手方向に沿って全長に亘り板状の防水ゴム部材１３が載置され、所定の間隔を存してビス５１でセンタフレーム２６に共締め固定されている。
【００３１】
図４及び図５に示すように防水ゴム部材１１，１１は、サイドフレーム２１，２２の上面の幅よりも狭く、かつ防水ゴム部材１３と略同じ板厚の板状をなし、サイドフレーム２１，２２上の防湿膜材９の両側縁部の上面に長手方向に沿って全長に亘り、これらのサイドフレーム２１，２２の外側部に近い位置に載置されている。
【００３２】
防水膜材８は、枠体７よりも所定寸法大きく、当該枠体７に敷設されて（被せられて）中央部が防水ゴム部材１３に載置され、両側部が防水ゴム部材１１，１１上に載置されている。防水ゴム部材１２は、防水ゴム部材１１と同じ幅で、僅かに薄い板状をなしている。この防水ゴム部材１２は、防水膜材８の両側部の上面に防水ゴム部材１１と整合して載置され、当該防水ゴム部材１２上に全長に亘り押え金具１４が載置されて長手方向に沿って所定の間隔を存してビス１５によりサイドフレーム２１，２２の上面に共締め固定される。
【００３３】
これらの防水膜材８及び防湿膜材９は、撓みを防止するためにサイドフレーム２１，２２方向（幅方向）に張力を付与されて敷設（張設）され、サイドフレーム２１，２２に固定されており、防水ゴム部材１１，１２は、防水膜材８、防湿膜材９をサイドフレーム２１，２２に圧接している。
【００３４】
防水膜材８、防湿膜材９の下端部（水下側）も略同様にしてエンドフレーム２３に固定されている。防水膜材８の両側部及び下部は、両側部のサイドフレーム２１，２２、及びエンドフレーム２３よりも外側に延出しており、後述するように雨仕舞いされる。
【００３５】
図６に示すように防湿膜材９の上端部（水上側）は、エンドフレーム２４の垂直部２４ａまで延出し、防水膜材８の上端部８ｂは、エンドフレーム２４の垂直部２４ａに沿って折り曲げられて上方に延出している。このエンドフレーム２４の垂直部２４ａ及び防水膜材８の上端部８ｂは、後述するように水上側の採光屋根材６の下端部（水下側）のエンドフレーム２３の垂直部２３ａ及び防水膜材８の下端部８ｃに接続される。
【００３６】
防水膜材８としては、透光性及び可撓性を有する、例えばガラス繊維膜、ポリエステルシート等がある。また、室内側の防湿膜材９としては、例えばポリエステルシートがある。また、防湿膜材９としてエアーキャップシート等の断熱効果の高いシートを使用することも可能である。このようにして、採光屋根材６が形成されている。この採光屋根材６は、工場で製造されて施工現場に搬送される。
【００３７】
次に、採光屋根材６の施工について図１、図４乃至図６により説明する。施工現場においては図４に示すように左側の金属屋根材１の半山部１ａの接続部１ｃを固定する吊子４に取付金具１６が固定されている。取付金具１６は、上面が吊子４の上面に載置されて接続部１ｃの上端部と共にビス５２で固定され、下端部が吊子４と共にタイトフレーム３にビス５３で固定されている。
【００３８】
また、図５に示すように右側の金属屋根材１の半山部１ｂの接続部１ｄを固定する吊子５に取付金具１７が固定されている。取付金具１７は、上面が接続部１ｄの上面に載置されて吊子５の上端面と共にビス５４で固定され、下端部がタイトフレーム３にビス５５で固定されている。
【００３９】
そして、取付金具１６，１７上にシール部材１８，１９を載置してサイドフレーム２１，２２を装着し、これらのサイドフレーム２１，２２を内側から取付金具１６，１７にビス５６，５７で固定する。このようにして左側の金属屋根材１と右側の金属屋根材１との間に採光屋根材６を取り付ける。この状態において、採光屋根材６の左右両側部のビス１５は、左右の金属屋根材１，１の接続部１ｃ，１ｄの外側、即ち金属屋根材１の外側に位置している。
【００４０】
次に、枠体７の両側方に延出している防水膜材８の側部８ａを折り曲げてサイドフレーム２１，２２の外側面２１ａ，２２ａに当接させ、その外側に全長に亘り水切り部材２８，２９を当てて長手方向に沿って所定の間隔を存してビス５８，５９で固定する。水切り部材２８，２９は、上端部が外側に折り返され、下端部が内側に折り返されて強度が高められている。このように防水膜材８の側部８ａを水切り部材２８，２９で押えてサイドフレーム２１，２２の外側面２１ａ，２２ａに固定することにより、防水膜材８の側部８ａを枠体７に良好に固定することができる。防水膜材８の下端部（水切側）も同様にして枠体７に固定する。このように、防水膜材８は、折り曲げ可能で金属屋根材１との接合が容易であり、雨仕舞い（防水性）が良好である。
【００４１】
図６に示すように採光屋根材６の上端部は、枠体７の上端部（水上側）のエンドフレーム２４の垂直部２４ａが上方に延出している。また、当該採光屋根材６の上流側の採光屋根材６は、下端部（水下側）のエンドフレーム２３の垂直部２３ａ及び図示しない上端部（水上側）のエンドフレームの垂直部が上方に延出している。そして、水下側の採光屋根材６のエンドフレーム２４の垂直部２４ａと上流側の採光屋根材６のエンドフレーム２３の垂直部２３ａとをシール部材（パッキン）３１を介して密着させて接続する。
【００４２】
次いで、雨押えカバー３２を装着して接続部を覆う。雨押えカバー３２は、中央部３２ａにより接続部を覆い、上下両端部３２ｂ，３２ｃにより水下側の採光屋根材６の上端部の押え金具３４、水上側の採光屋根材６の下端部の押え金具３５を外側から包み込み、二点鎖線で示す側部３２ｄ，３２ｅを採光屋根材６，６の枠体７，７のサイドフレーム２１，２１にビス６１，６２で固定する。また、側部３２ｄ，側部３２ｅとの間の隙間には図示しない面戸が取り付けられる。サイドフレーム２２側についても同様である。このようにして、採光屋根材６を順次接続して長尺の金属屋根材１と同じ長さの採光屋根材を形成する。これにより、水下側の採光屋根材６と水上側の採光屋根材６との接続部における雨水の浸入が良好に防止される。そして、接続部の構成が簡単であり、施工性に優れている。
【００４３】
図１、図４及び図５に示すように採光屋根材６は、防水膜材８と防湿膜材９との二重構造とされ、これらの間に防水ゴム部材１１，１３の板厚に相当する空気層（空間）１０が形成されることにより、断熱効果が得られ、防水膜材８の裏面（室内側）の結露が有効に抑えられる。この場合、防湿膜材９として前述したエアーキャップシートを使用した場合には断熱効果が更に向上する。また、防湿膜材９を、間隔を存して複数段敷設して空気層を複数段形成することにより、より有効な断熱効果を得ることが可能となる。
【００４４】
防水膜材８の裏面に結露が生じた場合、結露水は、当該防水膜材８と防水ゴム部材１１との間を通して、或いは防水ゴム部材１１と防湿膜材９との間を通して外部に排出される。また、防水膜材８上に降った雨水は、当該防水膜材８と防水ゴム部材１２との間を通して排出される。
【００４５】
防水膜材８と防湿膜材９を押え金具１４、防水ゴム部材１２，１１を介してサイドフレーム２１に固定しているビス１５が金属屋根材１の外側に位置していることにより、ビス１５を伝わって浸み込んでくる雨水は、金属屋根材１の外側に滴下して室内側への浸入が防止される。この場合、防水ゴム部材１１の防水膜材８、防湿膜材９と当接する上下面、及び防水ゴム部材１２の防水膜材８と当接する下面に傾斜方向に沿って細い溝を多数設けたものを使用することにより、より良好に結露水や雨水を外部に排出することが可能となる。
【００４６】
図７は、採光屋根材の他の実施形態を示す断面図である。また、図８は、現場において長尺の採光屋根材を施工する場合の説明図である。尚、前述した部材と同一部材には同一の符号を付して説明を省略する。
【００４７】
図７及び図８に示すように吊子４，５に採光屋根材４１の枠体４２を構成するサイドフレーム４３，４４がビス５３，５５により固定されている。サイドフレーム４３は、図４に示した採光屋根材６のサイドフレーム２１と取付金具１６とを兼用し、サイドフレーム４４は、図５に示したサイドフレーム２２と取付金具１７とを兼用している。従って、サイドフレーム４３，４４は、長尺の金属屋根材１と同じ長さの長尺フレームとされている。
【００４８】
図７に示すようにサイドフレーム４６は、金属屋根材１と同じ長さのアングルバー状をなす長尺フレームとされ、水平部が吊子４の上面に載置され、垂直部が金属屋根材１の接続部１ｃにビス６３で固定されている。サイドフレーム４３は、下端部が吊子４の下端部と共にタイトフレーム３にビス５３で固定され、上面がサイドフレーム４６の水平部に載置されて吊子４の上面と共に金属屋根材１の半山部１ａの接続部１ｃの上面にビス５２で固定されている。サイドフレーム４６は、吊子４以外の箇所においても長手方向に沿って所定の間隔を存してビス５２で金属屋根材１に固定されている。これにより、サイドフレーム４６が金属屋根材１に強固に固定される。ビス５２は、図示のように金属屋根材１の外側に位置しており、これらのビス５２を伝わって浸み込んでくる結露水等を金属屋根材１の上面に滴下させるようになっている。
【００４９】
図８に示すように右側の金属屋根材１の半山部１ｂの上部の外側にアングルバー状のサイドフレーム４７が金属屋根材１の長手方向に沿って全長に亘り配置されている。このサイドフレーム４７は、垂直部が金属屋根材１の半山部１ｂの上部と共に吊子５の上部にビス６４で固定されており、水平部が外側に延出している。サイドフレーム４７は、吊子５以外の箇所において長手方向に沿って所定の間隔を存してビス６４で金属屋根材１に固定されている。
【００５０】
サイドフレーム４４は、下端部がタイトフレーム３にビス５５で固定され、上部がサイドフレーム４７の水平部に載置されて長手方向に沿って所定の間隔を存してビス６５で固定されている。これにより、サイドフレーム４４が金属屋根材１に強固に固定される。そして、ビス６５は、図示のように金属屋根材１の外側に位置しており、これらのビス６５を伝わって浸み込んでくる結露水等を金属屋根材１の上面に滴下させるようになっている。
【００５１】
左右のサイドフレーム４３，４４の端部には図示しないアングルバー状のエンドフレームが、中間には所定の間隔でアングルバー状のセンタフレーム４５が複数梯子状に配設固定されている。そして、これらのエンドフレーム及びセンタフレーム４５は、中央部が上方に向って凸状に湾曲して両側部よりも僅かに高くなっており、中央部に図１乃至図３に示した枠体７のセンタフレーム２６と同様の図示しないセンタフレームが固定されている。これにより、金属屋根材１に採光屋根材４１の枠体４２を強固に形成することができる。
【００５２】
図７及び図８に示すように枠体４２の上に長尺の透光性及び可撓性を有する防湿膜材（シート）４９を敷設して（被せて）両側部をサイドフレーム４３，４４に載置する。そして、防湿膜材４９の中央部の上にかつ前記センタフレームの上に図示しない防水ゴム部材を長手方向に沿って全長に亘り載置し所定の間隔を存してビスで固定する。次いで、サイドフレーム４３，４４上の防湿膜材４９の上に防水ゴム部材１１，１１を全長に亘り配設した後、長尺の透光性を有する防水膜材（シート）４８を敷設して（被せて）、両側部を防水ゴム部材１１，１１に載置する。
【００５３】
次いで、防水ゴム部材１２、押え金具１４を全長に亘り載置し、防湿膜材４９、防水膜材４８をその幅方向に張力を付与しながらサイドフレーム４３，４４の上面にビス１５で固定する。このようにして、防水膜材４８、防湿膜材４９を枠体４２に敷設（張設）する。このとき図示のようにビス１５をサイドフレーム４３，４４の上面外側部寄りに配置して金属屋根材１の外側に位置するようにすることにより、ビス１５を伝わって流れ落ちる雨水を金属屋根材１の上面に滴下させることができる。
【００５４】
次いで、防水膜材４８の両側の側部４８ａを折り曲げてサイドフレーム４３，４４の外側面４３ａ，４４ａに当接させ、水切り部材２８，２９で押えて外側面４３ａ，４４ａに長手方向に沿って所定の間隔を存してビス５８，５９で固定する。これにより、防水膜材４８の両側部４８ａをサイドフレーム４３，４４に良好に固定することができる。このようにして、長尺の採光屋根材４１を形成する。これにより、現場で長尺シームレスの採光屋根材４１を容易に施工することができる。採光屋根材４１の作用効果は、前述した採光屋根材６と同様であり、説明を省略する。
【００５５】
以上説明したように、本発明に係る金属屋根の採光屋根材によると、金属屋根材に応じた大きさの枠体の上面に透光性及び可撓性を有する防水膜材を敷設し、この防水膜材の周縁部を枠体の上面に防水ゴム部材を配設して固定部材により防水ゴム部材と共に枠体の上面に圧接固定することができる。このようにして枠体に防水膜材を敷設して採光屋根材を形成する。この採光屋根材を隣り合う金属屋根材に固定することができる。枠体に透光性及び可撓性を有する防水膜材を敷設して採光屋根材を形成することにより、軽量化を図ることが可能となり、躯体への負担を軽減することが可能となる。また、雨仕舞い（防水性）や施工性に優れた金属屋根の採光屋根材とすることができる。
【００５６】
なお、上記実施形態においては、本発明に係る採光屋根材を断面が略台形状に折り曲げ加工された金属屋根材に適用した場合について記述したが、これに限るものではなく、汎用性を有している点も特徴の一つである。具体的には、一例として、山部の形状が異なる種々の金属屋根材や裏面に断熱材が設けられた金属屋根材等が葺設される金属屋根の採光用の屋根材にも適用することが可能である。
【符号の説明】
【００５７】
１    金属屋根材
１ａ，１ｂ    半山部
１ｃ，１ｄ    接続部
２    母屋
３    タイトフレーム
４，５    吊子
６    採光屋根材
７    枠体
８    防水膜材（シート）
８ａ    側部
８ｂ    上端部
８ｃ    下端部
９    防湿膜材（シート）
１０    空気層
１１，１２，１３    防水ゴム部材（パッキン）
１４    押え金具
１５    ビス
１６，１７    取付金具
１８，１９    シール部材
２１，２２    サイドフレーム
２１ａ，２２ａ    外側面
２３，２４    エンドフレーム
２３ａ，２４ａ    垂直部
２５，２６    センタフレーム
２８，２９    水切り部材
３１    シール部材（パッキン）
３２    雨押えカバー
３２ａ    中央部
３２ｂ，３２ｃ    端部
３２ｄ，３２ｅ    側部
３４，３５    押え金具
４１    採光屋根材
４２    枠体
４３，４４    サイドフレーム
４３ａ，４４ａ    外側面
４５    センタフレーム
４６，４７    サイドフレーム
４８    防水膜材（シート）
４８ａ    側部
４９    防湿膜材（シート）
５０    締結部材
５１〜５９，６１〜６５    ビス
【図１】
2012001957.tif 000003
【図２】
2012001957.tif 000004
【図３】
2012001957.tif 000005
【図４】
2012001957.tif 000006
【図５】
2012001957.tif 000007
【図６】
2012001957.tif 000008
【図７】
2012001957.tif 000009
【図８】
2012001957.tif 000010